(57)【特許請求の範囲】
【請求項１】
センサからの入力を受ける入力部と、
前記入力部に入力された前記センサからの信号を無線信号に変換して出力する出力部と、
前記入力部および前記出力部と電気的に接続された回路基板モジュールと、
前記回路基板モジュールと着脱可能に接続されており、外部電源からの入力を受ける入力端子を含み、前記入力端子に入力される入力電圧を変換して出力電圧を出力する外部電源モジュールと、
前記外部電源モジュールを格納する格納空間が形成されており、前記入力部、前記出力部、前記回路基板モジュールおよび前記外部電源モジュールを収容するケースと、を備え、
前記格納空間は、前記外部電源モジュールを前記回路基板モジュールから取り外すことにより、電池を格納可能であり、
前記回路基板モジュールは、前記外部電源モジュールのコネクタ、および前記電池のコネクタのうちいずれか一方を選択的に接続可能であって、前記格納空間から空間的につながった位置に配置されたコネクタ接続部を含む、無線端末装置。
【請求項２】
前記ケースは、前記格納空間に配置され、前記電池を保持可能な円筒面状の保持面を有する保持部を含む、請求項１に記載の無線端末装置。
【請求項３】
前記ケースには、前記格納空間と外部空間とを繋ぎ、前記格納空間に配置される前記外部電源モジュールおよび前記電池を取り出し可能な形状を有する開口部が形成されており、
前記ケースは、前記開口部を閉塞および開放可能に配置される蓋部を含み、
前記外部電源モジュールは、
第１主面および前記第１主面とは厚み方向において反対側に位置する第２主面を有する基板と、
前記第１主面上に配置され、前記外部電源から前記入力端子に入力される入力電圧を変換して出力電圧を出力する変換部と、を含み、
前記外部電源モジュールは、前記第２主面が前記蓋部に対向するように前記格納空間に格納される、請求項１または請求項２に記載の無線端末装置。
【請求項４】
前記ケースには、前記格納空間と外部空間とを繋ぎ、前記格納空間に配置される前記外部電源モジュールおよび前記電池を取り出し可能な形状を有する開口部が形成されており、
前記ケースは、
前記開口部を閉塞および開放可能に配置される蓋部と、
前記格納空間に配置され、前記電池を保持可能な円筒面状の保持面を有する保持部と、を含み、
前記外部電源モジュールは、
第１主面および前記第１主面とは厚み方向において反対側に位置する第２主面を有する基板と、
前記第１主面上に配置され、前記外部電源から前記入力端子に入力される前記入力電圧を変換して前記出力電圧を出力する変換部と、を含み、
前記基板の前記第１主面は、前記保持面と対向する、請求項１に記載の無線端末装置。
【請求項５】
前記ケースには、前記入力端子と前記外部電源とを接続する外部配線が挿通可能な形状を有する貫通孔が形成されている、請求項１から請求項４のいずれか１項に記載の無線端末装置。
【請求項６】
前記ケースの内部に配置され、第１の向きに突出する第１突出部を有する第１部材をさらに備え、
前記第１突出部の外周面と接触するように、前記入力端子と前記外部電源とを接続する外部配線が巻き付けられている、請求項１から請求項５のいずれか１項に記載の無線端末装置。
【請求項７】
前記外部配線は、前記第１突出部の周方向において半周を超えるように巻き付けられている、請求項６に記載の無線端末装置。
【請求項８】
前記ケースの内部に配置され、第２の向きに突出する第２突出部を有する第２部材をさらに備え、
前記第１突出部の外周面と接触するように、前記外部電源モジュールから延びる前記外部配線が巻き付けられており、
前記第２突出部の外周面と接触するように、前記第１突出部から延びる前記外部配線が巻き付けられており、
前記外部配線が前記外部電源モジュールから前記第１突出部に向かう第１の方向に沿った第１の直線と、前記外部配線が前記第１突出部から前記第２突出部に向かう第２の方向に沿った第２の直線と、を含む平面に垂直な方向に平面的に見て、前記第１の方向と、前記第２の方向とのなす角度が９０度以下であり、
前記外部配線が前記第２突出部から前記第１突出部側とは異なる側に向かう第３の方向に沿った第３の直線と、前記第２の直線と、を含む平面に垂直な方向に平面的に見て、前記第２の方向と、前記第３の方向とのなす角度が９０度以下である、請求項６または請求項７に記載の無線端末装置。
【発明の詳細な説明】
【技術分野】
【０００１】
本発明は、無線端末装置に関するものである。
【背景技術】
【０００２】
特許文献１には、加速度センサ等の振動を検出可能な振動センサと、検出された振動信号を外部機器に無線で送信する送信装置と、を備える無線端末装置を操業中の設備に取り付け、設備の異常が判断されることが開示されている。
【先行技術文献】
【特許文献】
【０００３】
【特許文献１】特開２０１６−０５２１３７号公報
【発明の概要】
【０００４】
本開示の無線端末装置は、センサからの入力を受ける入力部と、入力部に入力されたセンサからの信号を無線信号に変換して出力する出力部と、入力部および出力部と電気的に接続された回路基板モジュールと、回路基板モジュールと着脱可能に接続されており、外部電源からの入力を受ける入力端子を含み、入力端子に入力される入力電圧を変換して出力電圧を出力する外部電源モジュールと、外部電源モジュールを格納する格納空間が形成されており、入力部、出力部、回路基板モジュールおよび外部電源モジュールを収容するケースと、を備える。格納空間は、外部電源モジュールを回路基板モジュールから取り外すことにより、電池を格納可能である。回路基板モジュールは、外部電源モジュールのコネクタ、および電池のコネクタのうちいずれか一方を選択的に接続可能であって、格納空間から空間的につながった位置に配置されたコネクタ接続部を含む。
【図面の簡単な説明】
【０００５】
【図１】実施の形態１における無線端末装置の構造を示す概略斜視図である。
【図２】第１上壁部および第２上壁部を取り外した状態における無線端末装置の構造を示す概略斜視図である。
【図３】第１上壁部および第２上壁部を取り外した状態における無線端末装置の構造を示す概略斜視図である。
【図４】第１上壁部を取り外した状態における無線端末装置の構造を示す概略斜視図である。
【図５】実施の形態１における外部電源モジュールの構造を示す概略斜視図である。
【図６】外部電源モジュールが第１上壁部に取り付けられた状態を示す概略斜視図である。
【図７】回路基板モジュールに内部配線が接続された状態を示す概略斜視図である。
【図８】外部電源モジュールが取り付けられた第１上壁部およびケースの構造を示す概略断面図である。
【図９】電池が取り付けられた状態を示す概略斜視図である。
【図１０】電池が格納空間に格納された状態を示す概略断面図である。
【図１１】実施の形態２の無線端末装置の構造を示す概略斜視図である。
【図１２】第１上壁部を取り外した状態における無線端末装置の構造を示す概略斜視図である。
【図１３】第１上壁部および外部電源モジュールを取り外した状態における無線端末装置の構造を示す概略斜視図である。
【図１４】実施の形態２における外部電源モジュールの構造を示す概略斜視図である。
【図１５】外部電源モジュールが取り付けられた状態を示す概略断面図である。
【図１６】実施の形態２の無線端末装置に取り付けられる電池の構成を示す概略斜視図である。
【発明を実施するための形態】
【０００６】
［本開示が解決しようとする課題］
無線端末装置は、工場内等に試験的に設置される場合がある。また、無線端末装置の設置場所を変更して、適切な設置場所を検討する場合がある。このような場合、設置および取り外しの容易性を考慮して、無線端末装置は、電池によって駆動されることが好ましい。しかしながら、無線端末装置が恒久的に設置されることとなった場合や設置位置が確定した後は、継続的に工場内に設置される外部電源を用いて駆動されることが好ましい。そこで、外部電源を利用して駆動させることができると共に、電池によっても駆動させることができる無線端末装置を提供することを目的の１つとする。
【０００７】
［本開示の効果］
本開示によれば、外部電源を利用して駆動させることができると共に、電池によっても駆動させることができる無線端末装置を提供することができる。
【０００８】
［本願発明の実施形態の説明］
最初に本願発明の実施態様を列記して説明する。本願の無線端末装置は、センサからの入力を受ける入力部と、入力部に入力されたセンサからの信号を無線信号に変換して出力する出力部と、入力部および出力部と電気的に接続された回路基板モジュールと、回路基板モジュールと着脱可能に接続されており、外部電源からの入力を受ける入力端子を含み、入力端子に入力される入力電圧を変換して出力電圧を出力する外部電源モジュールと、外部電源モジュールを格納する格納空間が形成されており、入力部、出力部、回路基板モジュールおよび外部電源モジュールを収容するケースと、を備える。格納空間は、外部電源モジュールを回路基板モジュールから取り外すことにより、電池を格納可能である。回路基板モジュールは、外部電源モジュールのコネクタ、および電池のコネクタのうちいずれか一方を選択的に接続可能であって、格納空間から空間的につながった位置に配置されたコネクタ接続部を含む。
【０００９】
本願の無線端末装置は、格納空間に格納された外部電源モジュールを備える。また、格納空間は、外部電源モジュールを取り外すことにより、電池を格納可能である。そして、本願の無線端末装置における回路基板モジュールは、格納空間から空間的につながった位置に配置されたコネクタ接続部を含む。このような構成とすることで、外部電源モジュールのコネクタと、電池のコネクタとを容易に付け替えることができる。そのため、外部電源を利用して、無線端末装置を駆動することが可能であるとともに、電池を取り付けて、電池により無線端末装置を駆動することが可能である。したがって、本願の無線端末装置によれば、外部電源を利用して駆動させることができると共に、電池によっても駆動させることができる。
【００１０】
上記無線端末装置におけるケースは、格納空間に配置され、電池を保持可能な円筒面状の保持面を有する保持部を含んでもよい。このような構成とすることで、格納空間において電池を適切に保持し、電池が移動することを規制することができる。
【００１１】
上記無線端末装置におけるケースには、格納空間と外部空間とを繋ぎ、格納空間に配置される外部電源モジュールおよび電池を取り出し可能な形状を有する開口部が形成されてもよい。ケースは、開口部を閉塞および開放可能に配置される蓋部を含んでもよい。外部電源モジュールは、第１主面および第１主面とは厚み方向において反対側に位置する第２主面を有する基板と、第１主面上に配置され、外部電源から入力端子に入力される入力電圧を変換して出力電圧を出力する変換部と、を含んでもよい。外部電源モジュールは、第２主面が蓋部に対向するように格納空間に格納されてもよい。このような構成とすることで、作業者が変換部に触れて、変換部に損傷を与えることを抑制することができる。
【００１２】
上記無線端末装置におけるケースには、格納空間と外部空間とを繋ぎ、格納空間に配置される外部電源モジュールおよび電池を取り出し可能な形状を有する開口部が形成されてもよい。ケースは、開口部を閉塞および開放可能に配置される蓋部と、格納空間に配置され、電池を保持可能な円筒面状の保持面を有する保持部と、を含んでもよい。外部電源モジュールは、第１主面および第１主面とは厚み方向において反対側に位置する第２主面を有する基板と、第１主面上に配置され、外部電源から入力端子に入力される入力電圧を変換して出力電圧を出力する変換部と、を含んでもよい。基板の第１主面は、保持面と対向してもよい。このような構成とすることで、円筒面状の保持面の内側の空間を有効に利用して、基板上に配置される変換部を格納することができる。
【００１３】
上記無線端末装置におけるケースには、入力端子と外部電源とを接続する外部配線が挿通可能な形状を有する貫通孔が形成されてもよい。このような構成とすることで、上記貫通孔に外部配線を挿通させて、外部配線をケースの外部に容易に取り出すことができる。
【００１４】
上記無線端末装置は、ケースの内部に配置され、第１の向きに突出する第１突出部を有する第１部材をさらに備えてもよい。第１突出部の外周面と接触するように、入力端子と外部電源とを接続する外部配線が巻き付けられてもよい。このような構成とすることで、外部配線の移動を第１突出部により規制することができる。したがって、外部配線をケース内において固定することが容易となる。
【００１５】
上記無線端末装置において、外部配線は、第１突出部の周方向において半周を超えるように巻き付けられてもよい。このような構成とすることで、外部配線が引っ張られた際に、外部電源モジュールと第１突出部との間において、外部配線を引っ張る力が低減される。したがって、外部配線が引っ張られたとしても、外部配線の入力端子への接続部付近が受ける損傷を抑制することができる。
【００１６】
上記無線端末装置は、ケースの内部に配置され、第２の向きに突出する第２突出部を有する第２部材をさらに備えてもよい。第１突出部の外周面と接触するように、外部電源モジュールから延びる外部配線が巻き付けられてもよい。第２突出部の外周面と接触するように、第１突出部から延びる外部配線が巻き付けられてもよい。外部配線が外部電源モジュールから第１突出部に向かう第１の方向に沿った第１の直線と、外部配線が第１突出部から第２突出部に向かう第２の方向に沿った第２の直線と、を含む平面に垂直な方向に平面的に見て、第１の方向と、第２の方向とのなす角度が９０度以下であってもよい。外部配線が第２突出部から第１突出部側とは異なる側に向かう第３の方向に沿った第３の直線と、第２の直線と、を含む平面に垂直な方向に平面的に見て、第２の方向と、第３の方向とのなす角度が９０度以下であってもよい。このような構成とすることで、外部配線が引っ張られた際に、第１突出部と第２突出部との間において、外部配線を引っ張る力が低減される。さらに、外部電源モジュールと第１突出部との間において、外部配線を引っ張る力がさらに低減される。したがって、外部配線が引っ張られたとしても、外部配線の入力端子への接続部付近が受ける損傷をさらに抑制することができる。
【００１７】
［本願発明の実施形態の詳細］
次に、本願の無線端末装置の一実施の形態を、図面を参照しつつ説明する。以下の図面において同一または相当する部分には同一の参照番号を付しその説明は繰返さない。
【００１８】
（実施の形態１）
まず、図１〜図１０を参照して実施の形態１について説明する。図２は、図１の第１上壁部および第２上壁部を取り外した状態に対応する斜視図である。図３は、図２とは異なる視点から見た無線端末装置の構造を示す概略斜視図である。図８および図１０は、図１の線分Ａ−Ａに沿って切断した場合の断面図である。図１において、Ｚ軸方向は、第１上壁部の厚み方向に沿った方向である。Ｚ軸方向に平面的に見た時の長方形状を有するケースの長辺に沿った方向がＹ軸方向であり、短辺に沿った方向がＸ軸方向である。
【００１９】
特に図１〜図８を参照して、無線端末装置１は、ケース４０と、入力部１０と、出力部２０と、回路基板モジュール３０と、外部電源モジュール５０と、を含む。ケース４０は、内部空間が形成された直方体状の形状を有する。ケース４０は、中空筒状の側壁部４１と、底壁部４２と、上壁部４３と、を含む。底壁部４２は、側壁部４１の一方の開口を塞ぐように配置される。上壁部４３は、側壁部４１の他方の開口を塞ぐように配置される。
【００２０】
側壁部４１は、第１側壁部４１１、第２側壁部４１２、第３側壁部４１３および第４側壁部４１４を含む。第１側壁部４１１、第２側壁部４１２、第３側壁部４１３および第４側壁部４１４は平板状の形状を有する。第１側壁部４１１および第３側壁部４１３は、Ｙ軸方向に間隔をあけて平行に配置されている。第２側壁部４１２および第４側壁部４１４は、Ｘ軸方向に間隔をあけて平行に配置されている。第１側壁部４１１のＸ軸方向の一方の端部は、第２側壁部４１２と接続されている。第１側壁部４１１のＸ軸方向の他方の端部は、第４側壁部４１４と接続されている。第３側壁部４１３のＸ軸方向の一方の端部は、第２側壁部４１２と接続されている。第３側壁部４１３のＸ軸方向の他方の端部は、第４側壁部４１４と接続されている。Ｚ軸方向に平面的に見て、第１側壁部４１１は、第２側壁部４１２および第４側壁部４１４とのなす角が直角となるように配置されている。Ｚ軸方向に平面的に見て、第３側壁部４１３は、第２側壁部４１２および第４側壁部４１４とのなす角が直角となるように配置されている。つまり、Ｚ軸方向に平面的に見て、側壁部４１は、長方形状の形状を有する。第１側壁部４１１および第３側壁部４１３は、短辺に対応する。第２側壁部４１２および第４側壁部４１４は、長辺に対応する。第１側壁部４１１の上壁部４３側の端面の、Ｘ軸方向の中央よりも第２側壁部４１２寄りの領域には切り欠き４１１Ｃが形成されている。切り欠き４１１Ｃは、後述する外部配線６１が挿通可能な形状を有する。切り欠き４１１Ｃは、第１上壁部４３１を取り付けることで貫通孔を構成する。第４側壁部４１４の底壁部４２側の端部であって、Ｙ軸方向の中央よりもやや第３側壁部４１３側に、厚み方向に貫通する貫通孔４１４Ａが形成されている。
【００２１】
底壁部４２は、平板状の形状を有する。底壁部４２は、Ｚ軸方向に平面的に見て、長方形状の形状を有する。底壁部４２は、その外周において、側壁部４１と接続されている。底壁部４２は、第１の領域４２１と、第２の領域４２２と、を含む。第１の領域４２１のＹ軸方向における長さＬ１は、第２の領域４２２のＹ軸方向における長さＬ２よりも短い。底壁部４２の第２の領域４２２内には、底壁部４２の厚み方向に突出する突起部４２６，４２７が形成されている。底壁部４２の第２の領域４２２内には、底壁部４２の厚み方向に突出する柱部４２３，４２４，４２５が形成されている。第２の領域４２２は、第１の領域４２１よりも厚みが大きい領域である。つまり、第１の領域４２１の内壁面のＺ軸方向における高さは、第２の領域４２２の内壁面のＺ軸方向における高さよりも低い。別の観点から説明すると、第１の領域４２１と第２上壁部４３２とのＺ軸方向における距離は、第２の領域４２２と第２上壁部４３２とのＺ軸方向における距離より大きい。そのため、第１の領域４２１と、第２の領域４２２との間には、段差部４２２Ｂが形成されている。
【００２２】
第１の領域４２１と、第２の領域４２２とは、Ｚ軸方向に平面的に見て、それぞれ長方形状の形状を有している。第１の領域４２１と、第２の領域４２２とは、Ｙ軸方向に連なって配置されている。特に図８を参照して、第１の領域４２１における第１側壁部４１１側の領域には、Ｘ軸方向に延びる円筒面状の第１保持面４２１Ａが形成されている。第１保持面４２１Ａは、円筒状の電池を保持可能な形状を有する。
【００２３】
第２の領域４２２においては、第１の領域４２１側の端部であって、Ｘ軸方向の中央よりも第２側壁部４１２側に、凹部４２２Ａが形成されている。第２の領域４２２の凹部４２２Ａが形成されている領域は、第１の領域４２１よりも厚みが大きい領域である。つまり、第１の領域４２１の内壁面のＺ軸方向における高さは、第２の領域４２２の凹部４２２Ａが形成されている領域の内壁面のＺ軸方向における高さよりも低い。別の観点から説明すると、第１の領域４２１と第２上壁部４３２とのＺ軸方向における距離は、第２の領域４２２の凹部４２２Ａが形成されている領域と第２上壁部４３２とのＺ軸方向における距離より大きい。また、凹部４２２Ａの厚みは、凹部４２２Ａ以外の領域における第２の領域４２２の厚みより小さい。つまり、凹部４２２Ａと、第２上壁部４３２との距離は、凹部４２２Ａ以外の領域における第２の領域４２２と、第２上壁部４３２との距離より大きい。
【００２４】
第１の柱部４２３は、第２の領域４２２の第１の領域４２１側の端部であって、第２側壁部４１２に接する位置に配置されている。第２の柱部４２４は、第２の領域４２２の第１の領域４２１側の端部であって、第４側壁部４１４に接する位置に配置されている。第３の柱部４２５は、第２の領域４２２の第３側壁部４１３側の端部であって、Ｘ軸方向の中央よりも第２側壁部４１２側の位置に配置されている。第１の柱部４２３は、円柱状の形状を有する。第１の柱部４２３の中心軸を含むように、らせん状の壁面に取り囲まれたねじ穴４２３Ａが形成されている。第２の柱部４２４は、角柱状の形状を有する。第２の柱部４２４の中心軸を含むように、らせん状の壁面に取り囲まれたねじ穴４２４Ａが形成されている。第３の柱部４２５は、円柱状の形状を有する。第３の柱部４２５の中心軸を含むように、らせん状の壁面に取り囲まれたねじ穴４２５Ａが形成されている。第１突起部４２６は、Ｘ軸方向において、第３の柱部４２５と、第２側壁部４１２との間に配置されている。第２突起部４２７は、Ｙ軸方向において、第２の柱部４２４と第３側壁部４１３との間に配置されている。第１突起部４２６および第２突起部４２７は、円柱状の形状を有する。
【００２５】
上壁部４３は、蓋部としての第１上壁部４３１と、第２上壁部４３２と、を含む。第２上壁部４３２は、平板状の形状を有する。第２上壁部４３２は、Ｚ軸方向に平面的に見て、長方形状の形状を有する。第２上壁部４３２には、第１の柱部４２３のねじ穴４２３Ａに対応するように、厚み方向に貫通するねじ穴４３３が形成されている。第２上壁部４３２には、第２の柱部４２４のねじ穴４２４Ａに対応するように、厚み方向に貫通するねじ穴４３４が形成されている。第２上壁部４３２には、第３の柱部４２５のねじ穴４２５Ａに対応するように、厚み方向に貫通するねじ穴４３５が形成されている。第２上壁部４３２の外壁面４３２Ｂであって、ねじ穴４３４が形成された領域には、厚みが小さい部分である凹部４３６が形成されている。
【００２６】
ねじ穴４３３が形成された位置と、ねじ穴４２３Ａが形成された位置とが一致するように、側壁部４１上に第２上壁部４３２が載置された状態で、ねじ４５がねじ込まれる。同様に、ねじ穴４３５が形成された位置と、ねじ穴４２５Ａが形成された位置とが一致するように、側壁部４１上に第２上壁部４３２が載置された状態で、ねじ４６がねじ込まれる。このようにして、第２上壁部４３２は、底壁部４２（第２の領域４２２）に固定される。
【００２７】
特に図４および図６を参照して、第１上壁部４３１は、第２上壁部４３２側に突出する爪部４３８を含む。第１上壁部４３１の内壁面４３７Ａには、厚み方向に突出する第３突起部４４１，４４２が形成されている。第１上壁部４３１の内壁面４３７Ａには、厚み方向に突出する爪部４４３，４４４が形成されている。内壁面４３７ＡのＹ軸方向の中央よりも第２上壁部４３２側に、Ｘ軸方向に沿って延びる円筒面状の第２保持面４４５が形成されている。第２保持面４４５は、円筒状の電池を保持可能な形状を有する。
【００２８】
爪部４３８は、凹部４３６に対応する形状を有する。爪部４３８には、ねじ穴４３４に対応する位置に凹部４３８Ａが形成されている。爪部４３８を凹部４３６に嵌め込み、ねじ穴４３４が形成された位置と、凹部４３８Ａが形成された位置とが一致するように第１上壁部４３１が配置された状態で、ねじ４４がねじ込まれる。このようにして、第１上壁部４３１は、側壁部４１に保持される。ねじ４４を取り外すことにより、第１上壁部４３１を取り外すことができる。したがって、第１上壁部４３１は、蓋部として機能する。
【００２９】
Ｚ軸方向に平面的に見て長方形状の形状を有する第１上壁部４３１の内壁面４３７Ａの第２上壁部４３２側の一方の角部付近には、第１部材４４６が配置されている。第１上壁部４３１の内壁面４３７Ａの第２上壁部４３２側の他方の角部付近には、第２部材４４７が配置されている。Ｘ軸方向において、第２部材４４７が配置される側であって、第１側壁部４１１側の角部付近には、第３部材４４８が配置されている。すなわち、第１部材４４６および第２部材４４７は、第１上壁部４３１の長辺に沿って間隔をあけて、並べて配置されている。第２部材４４７および第３部材４４８は、第１上壁部４３１の短辺に沿って間隔をあけて、並べて配置されている。第１部材４４６および第２部材４４７は、Ｚ軸方向に突出する第１突出部４４６Ａ、第２突出部４４７Ａと、Ｙ軸方向に延びる第１爪部４４６Ｂ、第２爪部４４７Ｂとを含む。第１爪部４４６Ｂ、第２爪部４４７Ｂは、第１突出部４４６Ａ、第２突出部４４７Ａの第１上壁部４３１側とは反対側の端部から連なって配置される。第３部材４４８は、Ｚ軸方向に突出する第３突出部４４８Ａと、Ｘ軸方向に延びる第３爪部４４８Ｂと、を含む。第３爪部４４８Ｂは、第３突出部４４８Ａの第１上壁部４３１とは反対側の端部から連なって配置される。
【００３０】
ケース４０には、第１側壁部４１１、第２側壁部４１２、第４側壁部４１４、第１の領域４２１、段差部４２２Ｂおよび第１上壁部４３１によって取り囲まれた格納空間としての空間Ｓ１が形成されている。また、ケース４０には、第２側壁部４１２、第３側壁部４１３、第４側壁部４１４、第２の領域４２２および第２上壁部４３２によって取り囲まれた空間Ｓ２が形成されている。第１上壁部４３１が取り外された場合には、Ｚ軸方向に平面的に見て、第１側壁部４１１、第２側壁部４１２、第４側壁部４１４および第２上壁部４３２によって取り囲まれた開口部Ｓ３が形成される。
【００３１】
図２および図３を参照して、回路基板モジュール３０は、第２の領域４２２上に配置されている。回路基板モジュール３０は、第１基板３１と、コネクタ接続部３２と、を含む。第１基板３１は、平板状の形状を有する。第１基板３１は、第１突起部４２６および第２突起部４２７に対応する位置に厚み方向に貫通する貫通孔３１１，３１２が形成されている。貫通孔３１１，３１２に第１突起部４２６、第２突起部４２７が差し込まれて、第１基板３１が第２の領域４２２に固定されている。
【００３２】
第１基板３１は、第２上壁部４３２に対向する第１主面３１Ａと、第１主面３１Ａ側とは反対側の第２主面３１Ｂと、を有する。図２および図３を参照して、コネクタ接続部３２は、第２主面３１Ｂ上に配置されている。コネクタ接続部３２は、外部電源モジュール５０および電池のコネクタが接続される接続部である。コネクタ接続部３２は、第２の領域４２２の凹部４２２Ａに対応する位置に配置されている。そのため、コネクタ接続部３２は、空間Ｓ１から空間的につながった位置に配置されている。
【００３３】
入力部１０は、センサからの入力を受ける。本実施の形態においては、入力部１０は、３つの入力部からなる。入力部１０は、第１基板３１の第２主面３１Ｂ上に配置され、回路基板モジュール３０と電気的に接続されている。入力部１０は、第４側壁部４１４の貫通孔４１４Ａを介して外部空間からアクセス可能なように配置されている。
【００３４】
出力部２０は、入力部１０に入力されたセンサからの信号を無線信号に変換して出力する。出力部２０は、第１基板３１の第１主面３１Ａ上に配置され、回路基板モジュール３０と電気的に接続されている。
【００３５】
特に図５〜図８を参照して、外部電源モジュール５０は、外部電源からの入力電圧を変換して出力電圧を出力するモジュールである。外部電源モジュール５０は、第２基板５１と、変換部５２と、入力端子５３と、出力端子５４と、を含む。
【００３６】
第２基板５１は、平板状の形状を有する。第２基板５１は、厚み方向（Ｚ軸方向）に平面的に見て、略長方形状の形状を有する。第２基板５１は、一方側の第１主面５１Ａと、第１主面５１Ａとは厚み方向において反対側に位置する第２主面５１Ｂと、を有する。第２基板５１には、第３突起部４４１，４４２に対応する位置に厚み方向に貫通する貫通孔５１１，５１２が形成されている。第３突起部４４１，４４２が貫通孔５１１，５１２に差し込まれ、爪部４４３，４４４によって第２基板５１は第１上壁部４３１に固定されている。その結果、第１主面５１Ａは、第１の領域４２１に対向するように配置される。第１主面５１Ａは、第１保持面４２１Ａに対向するように配置される。第２主面５１Ｂは、第１上壁部４３１の内壁面４３７Ａに対向するように配置される。
【００３７】
入力端子５３は、外部電源からの入力を受ける端子である。変換部５２は、入力端子５３に入力される入力電圧を所望の電圧に変換する。出力端子５４は、変換部５２によって変換された出力電圧を出力する端子である。変換部５２、入力端子５３および出力端子５４は、第１主面５１Ａ上に配置されている。変換部５２、入力端子５３および出力端子５４は、Ｘ軸方向に沿って配置されている。変換部５２から見て、入力端子５３が配置される側とは反対側に出力端子５４が配置されている。図８を参照して、変換部５２は、第１保持面４２１Ａに対向するように配置されている。
【００３８】
入力端子５３は、外部配線６１のコネクタ６２が接続可能な形状を有する。内部配線５７の一方の端部にはコネクタ５８Ａが配置され、他方の端部にはコネクタ５８Ｂが配置されている。コネクタ５８Ａは、出力端子５４に接続可能な形状を有する。コネクタ５８Ｂは、コネクタ接続部３２（図２および図７参照）に接続可能な形状を有する。内部配線５７のコネクタ５８Ｂをコネクタ接続部３２から着脱することで、外部電源モジュール５０に内部配線５７が接続された状態で、外部電源モジュール５０を回路基板モジュール３０から着脱することができる。
【００３９】
外部配線６１のコネクタ６２が入力端子５３に接続されることで、外部電源と外部電源モジュール５０とが電気的に接続される。コネクタ５８Ａが出力端子５４に接続され、コネクタ５８Ｂがコネクタ接続部３２に接続されることで、外部電源モジュール５０と、回路基板モジュール３０とが電気的に接続される。なお、外部配線６１は、第１側壁部４１１の切り欠き４１１Ｃに挿通されて、外部空間に引き出されている（特に図１参照）。
【００４０】
特に図９および図１０を参照して、外部電源モジュール５０を取り外すと、格納空間としての空間Ｓ１には、電池７１，７２を格納することができる。本実施の形態においては、円筒状の２つの電池が格納される。電池７１，７２のコネクタ７３が、コネクタ接続部３２に接続されることで、電池７１，７２と回路基板モジュール３０とが電気的に接続される。電池７１の外周面が第１保持面４２１Ａに接触するようにして、電池７１は保持される。電池７２の外周面が第２保持面４４５に接触するようにして、電池７２は保持される。すなわち、底壁部４２の第１の領域４２１と、第１上壁部４３１とは、電池７１，７２を保持する保持部として機能する。
【００４１】
ここで、本実施の形態の無線端末装置１において、空間Ｓ１は、外部電源モジュール５０を取り外すことにより、電池７１，７２を格納可能である。そして、回路基板モジュール３０は、空間Ｓ１から空間的につながった位置に配置されたコネクタ接続部３２を含む。このような構成とすることで、外部電源モジュール５０のコネクタ５８Ｂと、電池７１，７２のコネクタ７３とを容易に付け替えることができる。そのため、外部電源を利用して、無線端末装置１を駆動することが可能であるとともに、電池７１，７２を取り付けて、電池７１，７２により無線端末装置１を駆動することが可能である。
【００４２】
上記実施の形態において、ケース４０は、空間Ｓ１に配置され、電池を保持可能な円筒面状の第１保持面４２１Ａおよび第２保持面４４５を有する。このような構成とすることで、空間Ｓ１において電池７１，７２を適切に保持し、電池７１，７２が移動することを規制することができる。
【００４３】
上記実施の形態において、ケース４０から第１上壁部４３１が取り外された場合には、開口部Ｓ３が形成される。開口部Ｓ３から、空間Ｓ１に配置された外部電源モジュール５０および電池７１，７２を取り出すことができる。
【００４４】
特に図６を参照して、外部配線６１は、第１突出部４４６Ａの周方向において半周を超えるように巻き付けられている。このような構成とすることで、外部配線６１が引っ張られた際に、外部電源モジュール５０と第１突出部４４６Ａとの間において、外部配線６１を引っ張る力が低減される。したがって、外部配線６１が引っ張られたとしても、外部配線６１のコネクタ６２との接続部付近が受ける損傷を抑制することができる。
【００４５】
特に図６を参照して、第１突出部４４６Ａの外周面と接触するように、外部電源モジュール５０から延びる外部配線６１が巻き付けられている。第２突出部４４７Ａの外周面と接触するように、第１突出部４４６Ａから延びる外部配線６１が巻き付けられている。第２突出部４４７Ａから延びる外部配線６１は、第３部材４４８に保持され、外部空間に延びる。外部配線６１が外部電源モジュール５０から第１突出部４４６Ａに向かう第１の方向Ｌ１に沿った第１の直線と、外部配線６１が第１突出部４４６Ａから第２突出部４４７Ａに向かう第２の方向Ｌ２に沿った第２の直線と、を含む平面（Ｘ−Ｙ平面）に垂直な方向（Ｚ軸方向）に平面的に見て、第１の方向Ｌ１と、第２の方向Ｌ２とのなす角度が９０度以下である。外部配線６１が第３突出部４４８Ａに向かう第３の方向Ｌ３に沿った第３の直線と、第２の直線と、を含む平面（Ｘ−Ｙ平面）に垂直な方向（Ｚ軸方向）に平面的に見て、第２の方向Ｌ２と、第３の方向Ｌ３とのなす角度が９０度以下である。このような構成とすることで、外部配線６１が引っ張られた際に、第１突出部４４６Ａと第２突出部４４７Ａとの間において、外部配線６１を引っ張る力が低減される。さらに、外部電源モジュール５０と第１突出部４４６Ａとの間において、外部配線６１を引っ張る力がさらに低減される。したがって、外部配線６１が引っ張られたとしても、外部配線６１のコネクタ６２との接続部付近が受ける損傷をさらに抑制することができる。
【００４６】
（実施の形態２）
次に、本願の無線端末装置１の実施の形態２について説明する。実施の形態２の無線端末装置１は基本的には実施の形態１の無線端末装置１と同様の構造を有し、同様の効果を奏する。しかしながら、実施の形態２においては、電池を保持するための保持部の構成において、実施の形態１の場合とは異なっている。以下、実施の形態１の場合とは異なっている点について主に説明する。
【００４７】
図１１〜図１５を参照して、実施の形態２について説明する。図１２は、図１１の蓋部としての第１上壁部４３１を取り外した状態に対応する斜視図である。図１３は、図１１の蓋部としての第１上壁部４３１および外部電源モジュール５０を取り外した状態に対応する斜視図である。図１５は、図１１における線分Ｂ−Ｂで切断した場合の断面図である。
【００４８】
ケース４０は、側壁部４１と、底壁部４２と、上壁部４３と、保持部４３Ａと、を含む。上壁部４３は、第１上壁部４３１と、第２上壁部４３２と、を含む。第１上壁部４３１には、第２側壁部４１２側の端部であって、Ｙ軸方向の中央に切り欠き４８１Ａが形成されている。切り欠き４８１Ａは、第１上壁部４３１をケース４０に取り付けることで、貫通孔を構成する。切り欠き４８１Ａは、外部配線６１が挿通可能な形状を有する。
【００４９】
保持部４３Ａは、Ｚ軸方向に平面的に見て、第１上壁部４３１に対応するように配置される。保持部４３Ａは、底壁部４２、第２側壁部４１２、第３側壁部４１３、第４側壁部４１４および第１上壁部４３１に囲まれる格納空間Ｓ１内に配置される。保持部４３Ａは、接続部４５５により第２上壁部４３２に接続される。保持部４３Ａは、円筒面状に凹んだ第３保持面４５６を有している。第３保持面４５６は、円筒状の電池７４（特に図１６参照）を保持可能な形状を有する。保持部４３Ａには、Ｙ軸方向に沿って突出する爪部４５３Ｂが形成されている。保持部４３Ａには、爪部４５３Ｂに沿ってＸ軸方向に延びる貫通孔４５３Ａが形成されている。
【００５０】
回路基板モジュール３０の入力部１０は、第１側壁部４１１のＸ軸方向の中央から第２上壁部４３２に至る凹部４１１Ａから露出するように配置されている。回路基板モジュール３０のコネクタ接続部３２は、接続部４５５に形成された貫通孔４５５Ａから露出するように配置されている。
【００５１】
外部電源モジュール５０は、第２基板５１と、変換部５２と、入力端子５３と、出力端子５４と、保持部材５９と、を含む。保持部材５９は、第２基板５１を保持する部材である。保持部材５９は、側壁部５５と、底蓋部５６と、を含む。側壁部５５は、第１部分５７１と、第２部分５７２と、第３部分５７３と、第４部分５７４と、を含む。第１部分５７１〜第４部分５７４は、板状の形状を有する。第１部分５７１と、第３部分５７３とは、Ｙ軸方向に間隔をあけて平行に配置されている。第２部分５７２と、第４部分５７４と、Ｘ軸方向に間隔をあけて平行に配置されている。第２部分５７２のＹ軸方向の一方の端部には、第１部分５７１が接続されている。第２部分５７２のＹ軸方向の他方の端部には、第３部分５７３が接続されている。第４部分５７４のＹ軸方向の一方の端部には、第３部分５７３が接続されている。Ｚ軸方向に平面的に見て、第２部分５７２は、第１部分５７１および第３部分５７３とのなす角が直角となるように配置されている。Ｚ軸方向に平面的に見て、第４部分５７４は、第３部分５７３とのなす角が直角となるように配置されている。
【００５２】
第１部分５７１の底蓋部５６とは反対側の端部であって、Ｘ軸方向の中央より第２部分５７２側には、厚み方向に貫通する第１切り欠き部５７１Ａが形成されている。第１切り欠き部５７１Ａは、内部配線５７を挿通可能な形状を有する。第１部分５７１の底蓋部５６とは反対側の端部であって、Ｘ軸方向の中央より第４部分５７４側には、厚み方向に貫通する第２切り欠き部５７１Ｂが形成されている。第２切り欠き部５７１Ｂは、外部配線６１を挿通可能な形状を有する。
【００５３】
第１部分５７１の外壁面には、第１部材５９１と、第２部材５９２と、第３部材５９３と、第４部材５９４と、第５部材５９５と、第６部材５９６と、が配置されている。第２部材５９２および第４部材５９４は、Ｘ軸方向に沿って配置されている。第１部材５９１、第３部材５９３および第５部材５９５は、Ｘ軸方向に沿って配置されている。第６部材５９６は、第２部材５９２および第４部材５９４から見て、Ｚ軸方向において、底蓋部５６側とは反対側に配置されている。
【００５４】
第１部材５９１、第２部材５９２、第３部材５９３、第４部材５９４、第５部材５９５および第６部材５９６は、それぞれＹ軸方向に突出する第１突出部５９１Ａ、第２突出部５９２Ａ、第３突出部５９３Ａ、第４突出部５９４Ａ、第５突出部５９５Ａ、第６突出部５９６Ａと、Ｚ軸方向に延在する第１爪部５９１Ｂ、第２爪部５９２Ｂ、第３爪部５９３Ｂ、第４爪部５９４Ｂ、第５爪部５９５Ｂ、第６爪部５９６Ｂと、を含む。第１爪部５９１Ｂ、第２爪部５９２Ｂ、第３爪部５９３Ｂ、第４爪部５９４Ｂ、第５爪部５９５Ｂ、第６爪部５９６Ｂは、第１突出部５９１Ａ、第２突出部５９２Ａ、第３突出部５９３Ａ、第４突出部５９４Ａ、第５突出部５９５Ａ、第６突出部５９６Ａの第１部分５７１側とは反対側の端部から連なって配置される。
【００５５】
外部配線６１は、第１部材５９１、第２部材５９２および第３部材５９３に保持され、第４部材５９４に巻き付けられる。なお、外部配線６１は、第４部材５９４の第４突出部５９４Ａの周方向において半周を超えるように巻き付けられている。外部配線６１は、第１上壁部４３１の切り欠き４８１Ａに挿通されて、外部空間に引き出されている（特に図１１参照）。内部配線５７は、第６部材５９６に保持され、第５部材５９５の第５突出部５９５Ａに巻き付けられている。
【００５６】
第２基板５１の貫通孔５１１，５１２に底蓋部５６に形成された柱状部５６１，５６２が差し込まれて、第２基板５１は、側壁部５５に囲まれた空間に配置される。第２基板５１は、第１部分５７１、第２部分５７２、第３部分５７３および第４部分５７４に保持されている。変換部５２、入力端子５３および出力端子５４は、第２基板５１の第１主面５１Ａ上に配置されている。
【００５７】
特に図１２および図１５を参照して、外部電源モジュール５０は、保持部４３Ａの第３保持面４５６に対向するように配置される。保持部材５９における第４突起部５７３Ａを保持部４３Ａの貫通孔４５３Ａに差し込むようにして、外部電源モジュール５０が配置される。その結果、第２基板５１の第１主面５１Ａが、第３保持面４５６に対向するように配置される。このような構成とすることで、作業者が変換部５２に触れて、変換部５２に損傷を与えることを抑制することができる。変換部５２は、円筒面状の第３保持面４５６の内側の空間を有効に利用して、格納される。
【００５８】
特に図１２、図１３および図１６を参照して、外部電源モジュール５０を取り外すと、格納空間としての空間Ｓ１には、電池７４を格納することができる。電池７４は、円筒状の形状を有する本体部７４１と、配線７４２Ａ，７４２Ｂと、コネクタ７３と、を含む。配線７４２Ａ，７４２Ｂは、本体部７４１の電極に電気的に接続されている。配線７４２Ａ，７４２Ｂの本体部７４１とは反対側の端部には、コネクタ７３が接続されている。電池７４のコネクタ７３が、コネクタ接続部３２に接続されることで、電池７４と回路基板モジュール３０とが電気的に接続される。本体部７４１の外周面７４１Ａが第３保持面４５６に接触するようにして、電池７４は保持される。すなわち、保持部４３Ａは、電池７４を保持する保持部として機能する。
【００５９】
上記実施の形態２の無線端末装置１においても、回路基板モジュール３０は、空間Ｓ１から空間的につながった位置に配置されたコネクタ接続部３２を含む。このような構成とすることで、外部電源モジュール５０のコネクタ５８Ｂと、電池７４のコネクタ７３（特に図１６参照）とを容易に付け替えることができる。したがって、上記実施の形態２の無線端末装置１によっても、実施の形態１と同様に、外部電源を利用して駆動させることができると共に、電池によっても駆動させることができる。
【００６０】
今回開示された実施の形態はすべての点で例示であって、どのような面からも制限的なものではないと理解されるべきである。本発明の範囲は上記した説明ではなく、請求の範囲によって規定され、請求の範囲と均等の意味および範囲内でのすべての変更が含まれることが意図される。
【符号の説明】
【００６１】
１  無線端末装置
１０  入力部
２０  出力部
３０  回路基板モジュール
３１  第１基板
３１Ａ，５１Ａ  第１主面
３１Ｂ，５１Ｂ  第２主面
３２  コネクタ接続部
４０  ケース
４１  側壁部
４２  底壁部
４３  上壁部
４３Ａ  保持部
４４，４５，４６  ねじ
５０  外部電源モジュール
５１  第２基板
５２  変換部
５３  入力端子
５４  出力端子
５５  側壁部
５６  底蓋部
５７  内部配線
５８Ａ，５８Ｂ，６２，７３  コネクタ
５９  保持部材
６１  外部配線
７１，７２，７４  電池
３１１，３１２，４１４Ａ，４５３Ａ，４５５Ａ，５１１，５１２  貫通孔
４１１  第１側壁部
４１１Ａ，４２２Ａ，４３６，４３８Ａ  凹部
４１１Ｃ  切り欠き
４１２  第２側壁部
４１３  第３側壁部
４１４  第４側壁部
４２１  第１の領域
４２１Ａ  第１保持面
４２２  第２の領域
４２２Ｂ  段差部
４２３  第１の柱部
４２３Ａ，４２４Ａ，４２５Ａ，４３３，４３４，４３５  ねじ穴
４２４  第２の柱部
４２５  第３の柱部
４２６  第１突起部
４２７  第２突起部
４３１  第１上壁部
４３２  第２上壁部
４３２Ｂ  外壁面
４３７Ａ  内壁面
４３８，４４３，４４４，４５３Ｂ  爪部
４４１，４４２  第３突起部
４４５  第２保持面
４４６，５９１  第１部材
４４６Ａ，５９１Ａ  第１突出部
４４６Ｂ，５９１Ｂ  第１爪部
４４７，５９２  第２部材
４４７Ａ，５９２Ａ  第２突出部
４４７Ｂ，５９２Ｂ  第２爪部
４４８，５９３  第３部材
４４８Ａ，５９３Ａ  第３突出部
４４８Ｂ，５９３Ｂ  第３爪部
４５５  接続部
４５６  第３保持面
４８１Ａ  切り欠き
５６１，５６２  柱状部
５７１  第１部分
５７１Ａ  第１切り欠き部
５７１Ｂ  第２切り欠き部
５７２  第２部分
５７３  第３部分
５７３Ａ  第４突起部
５７４  第４部分
５９４  第４部材
５９４Ａ  第４突出部
５９４Ｂ  第４爪部
５９５  第５部材
５９５Ａ  第５突出部
５９５Ｂ  第５爪部
５９６  第６部材
５９６Ａ  第６突出部
５９６Ｂ  第６爪部
７４１  本体部
７４１Ａ  外周面
７４２Ａ，７４２Ｂ  配線
Ｓ１，Ｓ２  空間
Ｓ３  開口部
【要約】
無線端末装置は、入力部と、出力部と、入力部および出力部と電気的に接続された回路基板モジュールと、回路基板モジュールと着脱可能に接続されており、外部電源からの入力を受ける入力端子を含み、入力端子に入力される入力電圧を変換して出力電圧を出力する外部電源モジュールと、入力部、出力部、回路基板モジュールおよび外部電源モジュールを収容するケースと、を備える。格納空間は、外部電源モジュールを回路基板モジュールから取り外すことにより、電池を格納可能である。回路基板モジュールは、外部電源モジュールのコネクタ、および電池のコネクタのうちいずれか一方を選択的に接続可能であって、格納空間から空間的につながった位置に配置されたコネクタ接続部を含む。【図１】
0006562195.tif 000002
【図２】
0006562195.tif 000003
【図３】
0006562195.tif 000004
【図４】
0006562195.tif 000005
【図５】
0006562195.tif 000006
【図６】
0006562195.tif 000007
【図７】
0006562195.tif 000008
【図８】
0006562195.tif 000009
【図９】
0006562195.tif 000010
【図１０】
0006562195.tif 000011
【図１１】
0006562195.tif 000012
【図１２】
0006562195.tif 000013
【図１３】
0006562195.tif 000014
【図１４】
0006562195.tif 000015
【図１５】
0006562195.tif 000016
【図１６】
0006562195.tif 000017